(57)【要約】【課題】  制振効果の高い打撃工具の提供。【解決手段】  モータ２１と、モータ２１により回転駆動されるクランク部と、クランク部に接続され、先端方向と後端方向とに往復運動する打撃子５３を有する打撃部と、打撃子５３の軸上に位置すると共に先端方向と後端方向とに移動可能なウエイト６２を有する動吸振器機構と、を備え、動吸振器機構は第一バネ６１Ａ及び第二バネ６１Ｂを有し、第一バネ６１Ａ及び第二バネ６１Ｂは該軸上であってウエイト６２の打撃子側と反打撃子側とにそれぞれ配置されてウエイト６２を付勢している打撃工具１を提供する。【選択図】図１
2008279565.tif 000002
【特許請求の範囲】
【請求項１】
モータと、
該モータにより回転駆動されるクランク部と、
該クランク部に接続され、一方向と他方向とに往復運動する打撃子を有する打撃部と、
該打撃子の軸上に位置すると共に該一方向と該他方向に移動可能なウエイトを有する動吸振器機構と、を備えたことを特徴とする打撃工具。
【請求項２】
該動吸振器機構は付勢部材を有し、該付勢部材は該軸上であって該ウエイトの打撃子側と反打撃子側とに配置されて該ウエイトを付勢していることを特徴とする請求項１に記載の打撃工具。
【請求項３】
該クランク部は、該打撃子を該一方向に移動させたときに該ウエイトを該他方向へと該付勢部材を介して移動させるカム部を有することを特徴とする請求項１または請求項２のいずれかに記載の打撃工具。
【請求項４】
該クランク部を保持するクランクケースを更に備え、該クランク部はクランクシャフトを有すると共に該クランクシャフトは軸受を介して該クランクケースに支持されていることを特徴とする請求項１乃至請求項３のいずれか一に記載の打撃工具。
【請求項５】
該モータは出力軸を有し、該出力軸を挟んで該クランク部が該一方向側に配置されると共に該ウエイトが該他方向側に配置されていることを特徴とする請求項１乃至請求項４のいずれか一に記載の打撃工具。
【請求項６】
モータと、
該モータにより駆動されるクランクシャフトを有するクランク部と、
該クランク部を収納するクランクケースと、
該クランクケースに設けられて振動吸収を行う動吸振器機構と、を有し、該動吸振機構はウエイトと該ウエイトをばね付勢する付勢機構を有し、該付勢機構は前記クランクシャフトの回転運動に連動して該ウエイトを付勢することを特徴とする打撃工具。
【発明の詳細な説明】
【技術分野】
【０００１】
本発明は打撃工具に関し、特に打撃工具の制震機構に関する。
【背景技術】
【０００２】
打撃工具においては、例えば特許文献１に示されるように、ウエイトとウエイトの運動方向に配したばねにより構成される動吸振器機構を有した構成が公知となっている。この打撃工具では、動吸振器機構においてウエイトが打撃子と逆位相で運動することで制振効果を得ている。
【特許文献１】特開昭５２−１０９６７３号公報
【発明の開示】
【発明が解決しようとする課題】
【０００３】
しかし上述の動吸振器機構における打撃子の動作は、先端工具側に向かって進む時と先端工具側から戻って来る時での速さ及びピストンに対する位相差が異なる為、ウエイトが打撃子と逆位相を維持するのが困難であるという欠点があった。よって本発明は、従来の欠点を解消し、制振効果の高い打撃工具を提供することを目的とする。
【課題を解決するための手段】
【０００４】
上記課題を解決するために本発明は、モータと、該モータにより回転駆動されるクランク部と、該クランク部に接続され、一方向と他方向とに往復運動する打撃子を有する打撃部と、該打撃子の軸上に位置すると共に該一方向と該他方向に移動可能なウエイトを有する動吸振器機構と、を備えた打撃工具を提供する。
【０００５】
上記構成の打撃工具において、該動吸振器機構は付勢部材を有し、該付勢部材は該軸上であって該ウエイトの打撃子側と反打撃子側とに配置されて該ウエイトを付勢していることが好ましい。
【０００６】
このような構成によると、振動を発生する箇所である打撃子とウエイトとが同軸上にあるため、打撃子の振動をウエイトで効率よく打ち消すことができる。また付勢部材でウエイトを付勢することにより、ウエイトに外力が加わった際の振動の位相を遅らせることができる。よって例えばピストンにより駆動される打撃子に対するウエイトの位相ずれを低減し、好適に振動を低減することができる。
【０００７】
また該クランク部は、該打撃子を該一方向に移動させたときに該ウエイトを該他方向へと該付勢部材を介して移動させるカム部を有することが好ましい。
【０００８】
このような構成によるとウエイトの位相を打撃子の位相に対して略逆位相にすることができる。
【０００９】
また該クランク部を保持するクランクケースを更に備え、該クランク部はクランクシャフトを有すると共に該クランクシャフトは軸受を介して該クランクケースに支持されていることが好ましい。
【００１０】
このような構成によると、クランク部をクランクケースによりユニット化することができる。よってユニット化された部材を組み合わせることにより打撃工具を製造することができ、製造時の作業性を向上させることができる。
【００１１】
また該モータは出力軸を有し、該出力軸を挟んで該クランク部が該一方向側に配置されると共に該ウエイトが該他方向側に配置されていることが好ましい。このような構成によると、余剰スペースにウエイトを配置することができ、打撃工具をコンパクトに構成することができる。また重量物となる打撃子とウエイトとモータとをバランス良く配置できるため、打撃工具の重心位置を打撃子とウエイトとモータとの略中心部分に持ってくることができ、打撃工具の取り回しを向上させることができる。
【００１２】
また上記課題を解決するために、モータと、該モータにより駆動されるクランクシャフトを有するクランク部と、前記クランク部を収納するクランクケースと、該クランクケースに設けられて振動吸収を行う動吸振器機構と、を有し、該動吸振機構は、ウエイトと該ウエイトをばね付勢する付勢機構を有し、該付勢機構は前記クランクシャフトの回転運動に連動して該ウエイトを付勢する打撃工具を提供する。
【発明の効果】
【００１３】
本発明の打撃工具によれば、制振効果を高めることができる。
【発明を実施するための最良の形態】
【００１４】
以下、本発明の実施の形態に係る打撃工具を図１乃至図４に基づき説明する。図１に示される打撃工具であるハンマ１は、ハンドル部１０と、モータケース２０と、ギヤケース３０と、クランクケース４０と、シリンダケース５０とから主に構成されている。以下、図１における左側をハンマ１の先端側、右側をハンマ１の後端側として説明する。
【００１５】
ハンドル部１０には、電源ケーブル１１が取付けられると共に、図示せぬスイッチ機構が内蔵されている。スイッチ機構には、使用者により操作可能なトリガ１２が機械的に接続されている。電源ケーブル１１は、スイッチ機構を図示せぬ外部電源に接続している。トリガ１２は、操作されることにより、後述の電動モータ２１と外部電源との接続と断続とを切換えている。
【００１６】
モータケース２０は、ハンドル部１０の先端側下部に設けられている。モータケース２０内には電動モータ２１が収納されている。電動モータ２１は、その回転駆動力を出力する出力軸２２を備えている。出力軸２２の先端にはピニオンギヤ２３が設けられており、ピニオンギヤ２３はギヤケース３０を貫通してクランクケース４０内に位置している。
【００１７】
ギヤケース３０は、モータケース２０の上部に配置され、後述のクランクシャフト４２の下端を回転可能に支持していると共に、出力軸２２を回転可能に支持するベアリング３１を保持している。
【００１８】
クランクケース４０は、ギヤケース３０の上部に配置されている。クランクケース４０内にはピニオンギヤ２３と噛合するギヤ４１と、ギヤ４１と同軸回転するクランクシャフト４２と、ギヤケース３０と協働してクランクシャフト４２を回転可能に支持するベアリング４５とが配置されている。クランクシャフト４２の上端には、図１及び図２に示されるようにカム部４３が設けられている。図２に示されるようにカム部４３の直径方向において突出部分の反対側となる位置には、クランクピン４４が設けられている。
【００１９】
クランクケース４０内において、クランクシャフト４２の後端側位置には、ウエイトケース６０が設けられている。ウエイトケース６０において後述の打撃子５３が往復移動する軸の略延長線上部分には、打撃子５３の軸方向と平行な方向に穿設された空間６０ａが形成されており、空間６０ａの後端側開口部分にはクランクケース４０を構成する壁が位置している。空間６０ａの内部には、先端側から順に、第一バネ６１Ａ、ウエイト６２、第二バネ６１Ｂの順で配置されており、ウエイト６２は第一バネ６１Ａ及び第二バネ６１Ｂにより付勢されている。また第二バネ６１Ｂの後端部分はクランクケース４０に当接している。よって、先端側と後端側を結ぶ方向において、クランクシャフト４２等を含むクランク部を構成する部分が出力軸２２を挟んで先端側に配置され、ウエイト６２が出力軸２２を挟んで後端側に配置される構成になる。このような構成によると、余剰スペースにウエイト６２を配置することができ、ハンマ１をコンパクトに構成することができる。
【００２０】
ウエイトケース６０において空間６０ａの前方側には、空間６０ａとウエイトケース６０外部とを連通して打撃子５３の軸方向と略平行に延びる穿孔６３ａが形成されている。図２に示されるように穿孔６３ａ内には、先端が半球状に構成されたロッド６３Ａがバネ６４を介して配置されている。バネ６４はロッド６３Ａを先端側に付勢しており、この付勢力によりロッド６３Ａの先端はカム部４３のカム面に常時当接している。ロッド６３Ａの後端部分には、フランジ６３Ｂが設けられており、フランジ６３Ｂは第一バネ６１Ａの先端側に配置されて第一バネ６１Ａと当接している。よってロッド６３Ａが後端側に移動することにより第一バネ６１Ａが付勢され、この付勢力によりウエイト６２が後方へと移動する。尚、ウエイト６２は、第一バネ６１Ａを介してロッド６３Ａと接続されているため、ロッド６３Ａの動作とウエイト６２との動作は必ずしも同期せず、位相ずれが発生している。
【００２１】
クランクケース４０の上方には、蓋４６が設けられている。ハンマ１を組み立てる際に、クランクケース４０内にウエイトケース６０を挿入して設置し、その他カム部４３等を組み付けた後に蓋４６を取り付けることにより、クランクケース４０及びクランクケース４０内のその他構成部品を外部から保護することが可能になっている。また蓋４６を外すのみでクランクケース４０内にアクセスできるため、カム部４３等に障害が発生した場合に、蓋４６を開けて容易に修理等を行うことができる。
【００２２】
シリンダケース５０は、クランクケース４０の先端側に設けられている。シリンダケース５０内には、シリンダ５１と、ピストン５２と、打撃子５３と、中間子５４とから主に構成されている。シリンダ５１は円筒形状に構成され、先後端方向が軸方向となるようにシリンダケース５０内に配置されている。ピストン５２はリンダ５１内に摺動可能に内蔵されていると共にコンロッド５２Ａによりクランクピン４４に接続されている。よってピストン５２はクランクシャフト４２の回転に応じてシリンダ５１内を往復摺動する。打撃子５３はシリンダ５１内においてピストン５２の先端側に摺動可能に配置されている。シリンダ５１内おいて打撃子５３とピストン５２との間には空気室５１ａが形成されている。この空気室５１ａがピストン５２で圧縮・膨張されることにより、打撃子５３がシリンダ５１内を往復摺動可能になっている。中間子５４は打撃子５３の先端側位置に配置されており、打撃子５３が先端側に移動した際に打撃子５３と当接可能に構成されている。振動を発生する箇所である打撃子５３の略軸上にウエイト６２が配置されているため、打撃子５３に起因して発生するハンマ１の振動は、ウエイト６２により効率よく打ち消される。
【００２３】
ハンマ１においては、クランクケース４０とクランクケース４０に設けられるクランクシャフト４２及びカム部４３等とからユニットとしてクランク部を構成し、ウエイトケース６０とウエイトケース６０に設けられるウエイト６２等とからユニットとして動吸振器機構を構成し、シリンダケース５０と打撃子５３等とからユニットとしてシリンダ部を構成している。このような構成によると、クランク部をクランクケースによりユニット化することができる。よってユニット化された部材を組み合わせることにより打撃工具を製造することができ、製造時の作業性を向上させることができる。
【００２４】
シリンダケース５０の先端部分には先端工具２が設けられている。先端工具２は、打撃子５３が中間子５４に衝突して発生する衝撃が伝達可能に構成されている。
【００２５】
上記構成のハンマ１の動作について説明する。使用者がハンドル１０を把持した状態でトリガ１２を引くことにより、電動モータ２１に電力が供給されて出力軸２２が回転し、これに連なるクランクシャフト４２及びカム部４３が回転する。
【００２６】
カム部４３の回転に応じてクランクピン４４に接続されたピストン５２が先端側へと移動し（図３）、空気室５１ａを圧縮する。圧縮された空気室５１ａにより打撃子５３は先端側へと移動し、中間子５４に当接して中間子５４及び先端工具２に衝撃を発生させる。よってクランクピン４４及びピストン５２が最も先端側に移動するタイミングとに比べて、打撃子５３が最も先端側へと移動して中間子５４に当接するタイミングが遅れる。
【００２７】
またカム部４３においては、図４に示されるようにクランクピン４４がもっと先端側へと移動した状態で、突出部分がロッド６３Ａと当接する。この状態においてはロッド６３Ａが後方へと移動するため、ロッド６３Ａに連なるフランジ６３Ｂにより付勢されている第一バネ６１Ａが後端側へと移動する。第一バネ６１Ａの後端側への移動により、第一バネ６１Ａにより付勢されているウエイト６２も後端側へと移動する。よってロッド６３Ａが最も後端側へと移動するタイミング（クランクピン４４及びピストン５２が最も先端側に移動するタイミング）に比べて、ウエイト６２が後端側へと移動するタイミングが遅れる。
【００２８】
打撃子５３の先端側への移動とウエイト６２の後端側への移動とは、それぞれカム部６２におけるクランクピン４４の先端側への移動に比べて位相ずれを起こすため、打撃子５３の先端側への移動とウエイト６２の後端側への移動とが略同じタイミングで起こる。この時に打撃子５３は先端側へと移動し、ウエイト６２は逆位相の後端側へと移動するため、ウエイト６２により打撃子５３が発生する振動を抑制し、使用者への振動の伝達を低減することができる。
【図面の簡単な説明】
【００２９】
【図１】本発明の実施の形態に係る打撃工具の側面断面図。
【図２】本発明の実施の形態に係る打撃工具の平面部分断面図。
【図３】本発明の実施の形態に係る打撃工具の側面断面図（打撃時）。
【図４】本発明の実施の形態に係る打撃工具の平面部分断面図（打撃時）。
【符号の説明】
【００３０】
１・・ハンマ  ２・・先端工具  １０・・ハンドル部  １１・・電源ケーブル
１２・・トリガ  ２０・・モータケース  ２１・・電動モータ  ２２・・出力軸
２３・・ピニオンギヤ  ３０・・ギヤケース  ３１・・ベアリング
４０・・クランクケース  ４１・・ギヤ  ４２・・クランクシャフト  ４３・・カム部
４４・・クランクピン  ４５・・ベアリング  ４６・・蓋  ５０・・シリンダケース
５１・・シリンダ  ５１ａ・・空気室  ５２・・ピストン  ５２Ａ・・コンロッド
５３・・打撃子  ５４・・中間子  ６０・・ウエイトケース  ６１Ａ・・第一バネ
６１Ｂ・・第二バネ  ６０ａ・・空間  ６２・・ウエイト  ６３Ａ・・ロッド
６３Ｂ・・フランジ  ６３ａ・・穿孔  ６４・・バネ
【図１】
2008279565.tif 000003
【図２】
2008279565.tif 000004
【図３】
2008279565.tif 000005
【図４】
2008279565.tif 000006